(57)【特許請求の範囲】
【請求項１】
一対の電極間に少なくとも発光層を有する一層又は複数層からなる有機薄膜層が挟持されている有機エレクトロルミネッセンス素子において、該有機薄膜層の少なくとも１層が、下記１ａ〜３ａ及び５ａ〜７ａのいずれかで表される部分構造を有する金属錯体化合物（ただし、下記化合物６を除く）を含有し、両極間に電圧を印加することにより発光する有機エレクトロルミネッセンス素子。
【化１】
0005491330.tif 000670
［式中、Ｔ5〜Ｔ9は、それぞれ独立に、水素原子、シアノ基、ニトロ基、ハロゲン原子、置換もしくは無置換の炭素数１〜２０のアルキル基、置換もしくは無置換のアミノ基、置換もしくは無置換の炭素数１〜２０のアルコキシル基、置換もしくは無置換の炭素数１〜２０のアルキルシリル基、置換もしくは無置換の炭素数１〜２０のアシル基、又は置換もしくは無置換の炭素数１〜３０の芳香族基を表す。但し、式５ａの場合のＴ6、式６ａ及び式７ａの場合のＴ5は、シアノ基、ニトロ基、ハロゲン原子、置換もしくは無置換の炭素数１〜２０のアルキル基、置換もしくは無置換のアミノ基、置換もしくは無置換の炭素数１〜２０のアルコキシル基、置換もしくは無置換の炭素数１〜２０のアルキルシリル基、置換もしくは無置換の炭素数１〜２０のアシル基、又は置換もしくは無置換の炭素数１〜３０の芳香族基を表す。また、式１ａ〜式３ａ及び式５ａにおけるＴ5とＴ6、Ｔ6とＴ7、Ｔ7とＴ8、Ｔ8とＴ9は、互いに結合して環構造を形成していてもよい。さらに、式６ａ及び式７ａにおけるＴ5とＴ6は、互いに結合して環構造を形成していてもよい。  
Ｍは、イリジウム（Ｉｒ）又は白金（Ｐｔ）の金属原子である。  
Ｇは下記の基のうちのいずれかで表される基である。
【化２】
0005491330.tif 000671
（…は、前記Ｍとの共有結合を示す。）  
（Ｐｈ及びＯＬにおけるＴ1〜Ｔ4は、それぞれ独立に、水素原子、シアノ基、ニトロ基、ハロゲン原子、置換もしくは無置換の炭素数１〜２０のアルキル基、置換もしくは無置換のアミノ基、置換もしくは無置換の炭素数１〜２０のアルコキシル基、置換もしくは無置換の炭素数１〜２０のアルキルシリル基、又は置換もしくは無置換の炭素数１〜２０のアシル基を表す。）
Ｔ1〜Ｔ9が置換基を有する場合、当該置換基は、シアノ基、ヒドロキシル基、ニトロ基、ハロゲン原子、無置換のアルキル基、無置換のアミノ基、無置換のアルコキシル基、無置換のアルキルシリル基、無置換のアシル基、又は無置換の芳香族基、無置換のアルケニル基、無置換のシクロアルキル基、無置換の複素環基、無置換のアリールアルキル基、無置換のアリールオキシ基、無置換のアルコキシカルボニル基、及びカルボキシル基から選択される。］
【化３】
0005491330.tif 000672
【請求項２】
前記金属錯体化合物が、前記一般式１ａ〜３ａ、５ａ、及び７ａのいずれかで表される部分構造を有する請求項１に記載の有機エレクトロルミネッセンス素子。
【請求項３】
前記Ｇは下記の基のうちのいずれかで表される請求項１又は２に記載の有機エレクトロルミネッセンス素子。
【化４】
0005491330.tif 000673
【請求項４】
前記発光層が、前記一般式（Ｉ）で表される部分構造を有する金属錯体化合物を含有する請求項１〜３のいずれか１項に記載の有機エレクトロルミネッセンス素子。
【請求項５】
前記一般式（Ｉ）で表される部分構造を有する金属錯体化合物を含有する層が、塗布により成膜されてなる請求項１〜４のいずれか１項に記載の有機エレクトロルミネッセンス素子。
【発明の詳細な説明】
【技術分野】
【０００１】
本発明は、新規金属錯体化合物を用いた有機エレクトロルミネッセンス（ＥＬ）素子に関し、特に、発光効率が高く、長寿命の有機ＥＬ素子に関するものである。
【背景技術】
【０００２】
近年、有機ＥＬ素子を液晶に代わるカラーディスプレイ用表示装置として用いることが活発に検討されている。しかし、大画面化を実現するにはまだその発光素子性能は不足している。この有機ＥＬ素子の性能向上手段として、りん光発光材料としてオルソメタル化イリジウム錯体（fac-tris(2-phenylpyridine)iridium)を発光材料に用いた緑色発光素子が提案されている (D.F.O'Brien and M.A.Baldo et al "Improved energy transferin electrophosphorescent devices" Applied Physics letters Vol.74 No.3, pp442-444, January 18, 1999，M.A.Baldo et al "Very high-efficiencygreen organic light-emitting
devices based on electrophosphorescence" Applied Physics letters Vol. 75 No.1, pp4-6, July 5, 1999) 。
【０００３】
りん光発光を利用した有機ＥＬ素子は、現状では緑色発光に限られるために、カラーディスプレイとしての適用範囲は狭いため、他の色についても発光特性が改善された素子の開発が望まれていた。特に青色発光素子については、外部量子収率５％を超えるものは報告されておらず、青色発光素子の改善ができればフルカラー化及び白色化が可能となり、りん光ＥＬ素子の実用化に向けて大きく前進する。
【０００４】
また、特許文献１には以下のような配位子の構造式（Ａ）及び（Ｂ）が開示されているが、その配位子を用いた実際の錯体の合成例は示されていない。
【０００５】
【化１】
0005491330.tif 000002
【０００６】
（式中、Ｒ１  〜Ｒ５  は、それぞれ独立に、水素原子、ハロゲン原子、アルキル基、芳香族基、アリーレン基を表し、Ｒ１'及びＲ２'は、それぞれ独立に、芳香族基を表し、互いに結合していてもよい。）
【先行技術文献】
【特許文献】
【０００７】
【特許文献１】国際公開ＷＯ０２／１５６４５号公報
【発明の概要】
【発明が解決しようとする課題】
【０００８】
本発明は、前記の課題を解決するためなされたもので、発光効率が高く、長寿命の有機ＥＬ素子を提供することを目的とする。
【課題を解決するための手段】
【０００９】
本発明者らは、前記目的を達成するために、鋭意研究を重ねた結果、前記配位子（Ａ）及び（Ｂ）において、ＲがＨの場合には特許文献１で示されているＩｒ錯体が生成せず、安定に単離することができず、Ｉｒ錯体を安定に単離するためには、金属と配位結合を作らない方のＮ上の原子を水素原子以外のもので置換させておくことが重要であることを見出し、Ｎ上に種々の置換基を有する配位子を設計し、Ｉｒ錯体を合成することに初めて成功した。そして、下記一般式（Ｉ）で表される部分構造を有する金属錯体化合物を用いた有機ＥＬ素子は、外部量子収率８％に達し、青色領域をはじめ、種々のりん光発光を高い発光効率で、長寿命の有機ＥＬ素子が得られることを見出し、本発明を完成するに至った。
【００１０】
すなわち、本発明は、一対の電極間に少なくとも発光層を有する一層又は複数層からなる有機薄膜層が挟持されている有機エレクトロルミネッセンス素子において、該有機薄膜層の少なくとも１層が、下記一般式（Ｉ）で表される部分構造を有する金属錯体化合物を含有し、両極間に電圧を印加することにより発光する有機エレクトロルミネッセンス素子を提供するものである。
【００１１】
【化２】
0005491330.tif 000003
【００１２】
［式中、Ｒ1〜Ｒ5は、それぞれ独立に、水素原子、シアノ基、ニトロ基、ハロゲン原子、置換もしくは無置換の炭素数１〜２０のアルキル基、置換もしくは無置換のアミノ基、置換もしくは無置換の炭素数１〜２０のアルコキシル基、置換もしくは無置換の炭素数１〜２０のアルキルシリル基、置換もしくは無置換の炭素数１〜２０のアシル基、又は置換もしくは無置換の炭素数１〜３０の芳香族基を表し、また、Ｒ1とＲ2、Ｒ3とＲ4、Ｒ4とＲ5は、互いに結合して環構造を形成していてもよい。
【００１３】
ｐ及びｑは、それぞれ、０〜３の整数であり、ｐ＋ｑは２又は３である。また、ｐが２以上の整数のとき、複数のＲ3は互いに結合して環構造を形成していてもよく、ｑが２以上の整数のとき、複数のＲ5は互いに結合して環構造を形成していてもよい。
【００１４】
Ｍは、イリジウム（Ｉｒ）、ロジウム（Ｒｈ）、白金（Ｐｔ）又はパラジウム（Ｐｄ）の金属原子である。］
【発明を実施するための形態】
【００１５】
本発明の金属錯体化合物は、下記一般式（Ｉ）で表される部分構造を有するものである。
【００１６】
【化３】
0005491330.tif 000004
【００１７】
一般式（Ｉ）式において、Ｒ1〜Ｒ5は、それぞれ独立に、水素原子、シアノ基、ニトロ基、ハロゲン原子、置換もしくは無置換の炭素数１〜２０のアルキル基、置換もしくは無置換のアミノ基、置換もしくは無置換の炭素数１〜２０のアルコキシル基、置換もしくは無置換の炭素数１〜２０のアルキルシリル基、置換もしくは無置換の炭素数１〜２０のアシル基、又は置換もしくは無置換の炭素数１〜３０の芳香族基を表し、また、Ｒ1とＲ2、Ｒ3とＲ4、Ｒ4とＲ5は、互いに結合して環構造を形成していてもよい。
【００１８】
前記ハロゲン原子としては、例えば、フッ素、塩素、臭素、ヨウ素が挙げられる。
【００１９】
前記アルキル基としては、例えば、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基等が挙げられる。
【００２０】
前記アルコキシル基は−ＯＹと表され、Ｙとしては、前記アルキル基で挙げたものと同様のものが挙げられる。
【００２１】
前記アルキルシリル基としては、例えば、トリメチルシリル基、ｔ−ブチルジメチルシリル基等が挙げられる。
【００２２】
前記アシル基としては、アセチル基、プロビオニル基、ブチリル基、イソブチリル基等が挙げられる。
【００２３】
前記芳香族基としては、例えば、ベンゼン、ナフタレン、アントラセン、フェナントレン、ピレン、コロネン、ビフェニル、ターフェニル、ピロール、フラン、チオフェン、ベンゾチオフェン、オキサジアゾリン、ジフェニルアントラセン、インドリン、カルバゾール、ピリジン、ベンゾキノン、フルオランテン、アセナフトフルオランテンなどを挙げることができる。
【００２４】
また、これら各基の置換基としては、シアノ基、ヒドロキシル基、ニトロ基、ハロゲン原子、置換もしくは無置換のアルキル基、置換もしくは無置換のアミノ基、置換もしくは無置換のアルコキシル基、置換もしくは無置換のアルキルシリル基、置換もしくは無置換のアシル基、又は置換もしくは無置換の芳香族基、置換もしくは無置換のアルケニル基、置換もしくは無置換のシクロアルキル基、置換もしくは無置換の複素環基、置換もしくは無置換のアリールアルキル基、置換もしくは無置換のアリールオキシ基、置換もしくは無置換のアルコキシカルボニル基、カルボキシル基等が挙げられる。
【００２５】
Ｒ1とＲ2、Ｒ3とＲ4、Ｒ4とＲ5が、互いに結合して形成する環構造としては、それぞれ独立に、例えば、ベンゼン、ピリジン、ナフタレン、ベンゾチアゾール、キノリン等が挙
げられる。
【００２６】
Ｒ1〜Ｒ5としては、それぞれ独立に、水素原子、シアノ基、ニトロ基、フッ素原子、トリフルオロメチル基、ジメチルアミノ基、メトキシ基、ｔ−ブチル基、トリメチルシリル基、アセチル基が好ましい。
【００２７】
ｐ及びｑは、それぞれ、０〜３（好ましくは０〜２）の整数であり、ｐ＋ｑは２又は３である。また、ｐが２以上の整数のとき、複数のＲ3は互いに結合して環構造を形成していてもよく、ｑが２以上の整数のとき、複数のＲ5は互いに結合して環構造を形成していてもよい。
【００２８】
複数のＲ3及び複数のＲ5が形成する環構造としては、それぞれ独立に、例えば、ベンゼン、ピリジン等が挙げられる。
【００２９】
一般式（Ｉ）において、Ｍは、イリジウム（Ｉｒ）、ロジウム（Ｒｈ）、白金（Ｐｔ）又はパラジウム（Ｐｄ）の金属原子であり、Ｉｒ、Ｐｔが好ましく、Ｉｒがさらに好ましい。
【００３０】
また、一般式（Ｉ）で表される部分構造が、下記（ｉ）〜（vii）のいずれか、又は、下記（i'）〜（vii'）のいずれかで表されるものであると好ましく、（ｉ）〜(iii) がさらに好ましい。
【００３１】
【化４】
0005491330.tif 000005
【００３２】
さらに本発明の金属錯体化合物は、下記一般式１〜７及び１’〜７’のいずれかで表される基本骨格を有するものであると好ましい。
【００３３】
【化５】
0005491330.tif 000006
【００３４】
一般式１〜７及び１’〜７’において、Ｔ5 〜Ｔ9 は、それぞれ独立に、水素原子、シアノ基、ニトロ基、ハロゲン原子、置換もしくは無置換の炭素数１〜２０のアルキル基、置換もしくは無置換のアミノ基、置換もしくは無置換の炭素数１〜２０のアルコキシル基、置換もしくは無置換の炭素数１〜２０のアルキルシリル基、置換もしくは無置換の炭素数１〜２０のアシル基、又は置換もしくは無置換の炭素数１〜３０の芳香族基を表す。また、Ｔ5 とＴ6 、Ｔ6 とＴ7 、Ｔ7 とＴ8 、Ｔ8 とＴ9 は、互いに結合して環構造を形成していてもよい。
【００３５】
前記ハロゲン原子、アルキル基、アルコキシル基、アルキルシリル基、アシル基、芳香族基及びこれらの置換基の例としては、前記一般式（Ｉ）のＲ1〜Ｒ5で説明したものと同じであり、好ましい例としても同様のものが挙げられる。
【００３６】
また、Ｔ5とＴ6、Ｔ6とＴ7、Ｔ7とＴ8、Ｔ8とＴ9が、互いに結合して形成する環構造としては、それぞれ独立に、例えば、ベンゼン、ピリジン等が挙げられる。
【００３７】
一般式１〜７及び１’〜７’において、Ｍは、前記と同じである。
【００３８】
一般式１〜７及び１’〜７’において、Ｌ1及びＬ2は、
【００３９】
【化６】
0005491330.tif 000007
【００４０】
のいずれかで表される構造である。
【００４１】
一般式１〜７及び１’〜７’において、ｎは０〜２の整数であり、０〜１であると好ましく、ｍは０〜１の整数である。
【００４２】
Ｇは下記の基のうちのいずれかで表される基である。
【００４３】
【化７】
0005491330.tif 000008
【００４４】
（…は、前記Ｍとの共有結合を示す。）
Ｐｈ及びＯＬにおけるＴ1〜Ｔ4は、それぞれ独立に、シアノ基、ニトロ基、ハロゲン原子、置換もしくは無置換の炭素数１〜２０のアルキル基、置換もしくは無置換のアミノ基、置換もしくは無置換の炭素数１〜２０のアルコキシル基、置換もしくは無置換の炭素数１〜２０のアルキルシリル基、置換もしくは無置換の炭素数１〜２０のアシル基、又は置換もしくは無置換の炭素数１〜３０の芳香族基を表していてもよく、これら各基及びこれらの置換基の例としては、前記一般式（Ｉ）のＲ1〜Ｒ5で説明したものと同じであり、好ましい例としても同様のものが挙げられる。
【００４５】
また、Ｐｈにおいて、Ｔ1及びＴ2、Ｔ2及びＴ3、又はＴ3及びＴ4と結合して環構造を形成する置換基としては、下記のいずれかで表される２価の基が挙げられ、ＢＬ、ＭＥＳ１、ＭＥＳ２、ＰＳ１、ＰＳ２が好ましい。
【００４６】
【化８】
0005491330.tif 000009
【００４７】
ただし、これらの２価の基の左にはＴ1〜Ｔ4の番号の小さい方が結合し、同様に右には番号の大きい方が結合する。
【００４８】
本発明の一般式１〜７及び１’〜７’で表される基本骨格を有する金属錯体化合物の具体例を以下の表に例示するが、これら例示化合物に限定されるものではない。
【００４９】
なお、各表の見出しの基本骨格の右には、Ｔ1〜Ｔ9、Ｌ1、Ｌ2（基本骨格１〜４及び１’〜４’の場合）又はＴ1〜Ｔ7、Ｌ1、Ｌ2（基本骨格５〜７及び５’〜７’の場合）が記載されている。
【００５０】
【化９】
0005491330.tif 000010
【００５１】
【表１】
0005491330.tif 000011
【００５２】
【表２】
0005491330.tif 000012
【００５３】
【表３】
0005491330.tif 000013
【００５４】
【表４】
0005491330.tif 000014
【００５５】
【表５】
0005491330.tif 000015
【００５６】
【表６】
0005491330.tif 000016
【００５７】
【表７】
0005491330.tif 000017
【００５８】
【表８】
0005491330.tif 000018
【００５９】
【表９】
0005491330.tif 000019
【００６０】
【表１０】
0005491330.tif 000020
【００６１】
【表１１】
0005491330.tif 000021
【００６２】
【表１２】
0005491330.tif 000022
【００６３】
【表１３】
0005491330.tif 000023
【００６４】
【表１４】
0005491330.tif 000024
【００６５】
【表１５】
0005491330.tif 000025
【００６６】
【表１６】
0005491330.tif 000026
【００６７】
【表１７】
0005491330.tif 000027
【００６８】
【表１８】
0005491330.tif 000028
【００６９】
【表１９】
0005491330.tif 000029
【００７０】
【表２０】
0005491330.tif 000030
【００７１】
【表２１】
0005491330.tif 000031
【００７２】
【表２２】
0005491330.tif 000032
【００７３】
【表２３】
0005491330.tif 000033
【００７４】
【表２４】
0005491330.tif 000034
【００７５】
【表２５】
0005491330.tif 000035
【００７６】
【表２６】
0005491330.tif 000036
【００７７】
【表２７】
0005491330.tif 000037
【００７８】
【表２８】
0005491330.tif 000038
【００７９】
【表２９】
0005491330.tif 000039
【００８０】
【表３０】
0005491330.tif 000040
【００８１】
【表３１】
0005491330.tif 000041
【００８２】
【表３２】
0005491330.tif 000042
【００８３】
【表３３】
0005491330.tif 000043
【００８４】
【表３４】
0005491330.tif 000044
【００８５】
【表３５】
0005491330.tif 000045
【００８６】
【表３６】
0005491330.tif 000046
【００８７】
【表３７】
0005491330.tif 000047
【００８８】
【表３８】
0005491330.tif 000048
【００８９】
【表３９】
0005491330.tif 000049
【００９０】
【表４０】
0005491330.tif 000050
【００９１】
【表４１】
0005491330.tif 000051
【００９２】
【表４２】
0005491330.tif 000052
【００９３】
【表４３】
0005491330.tif 000053
【００９４】
【表４４】
0005491330.tif 000054
【００９５】
【表４５】
0005491330.tif 000055
【００９６】
【表４６】
0005491330.tif 000056
【００９７】
【表４７】
0005491330.tif 000057
【００９８】
【表４８】
0005491330.tif 000058
【００９９】
【表４９】
0005491330.tif 000059
【０１００】
【表５０】
0005491330.tif 000060
【０１０１】
【表５１】
0005491330.tif 000061
【０１０２】
【表５２】
0005491330.tif 000062
【０１０３】
【表５３】
0005491330.tif 000063
【０１０４】
【表５４】
0005491330.tif 000064
【０１０５】
【表５５】
0005491330.tif 000065
【０１０６】
【表５６】
0005491330.tif 000066
【０１０７】
【表５７】
0005491330.tif 000067
【０１０８】
【表５８】
0005491330.tif 000068
【０１０９】
【表５９】
0005491330.tif 000069
【０１１０】
【表６０】
0005491330.tif 000070
【０１１１】
【表６１】
0005491330.tif 000071
【０１１２】
【表６２】
0005491330.tif 000072
【０１１３】
【表６３】
0005491330.tif 000073
【０１１４】
【表６４】
0005491330.tif 000074
【０１１５】
【表６５】
0005491330.tif 000075
【０１１６】
【表６６】
0005491330.tif 000076
【０１１７】
【表６７】
0005491330.tif 000077
【０１１８】
【表６８】
0005491330.tif 000078
【０１１９】
【表６９】
0005491330.tif 000079
【０１２０】
【表７０】
0005491330.tif 000080
【０１２１】
【表７１】
0005491330.tif 000081
【０１２２】
【表７２】
0005491330.tif 000082
【０１２３】
【表７３】
0005491330.tif 000083
【０１２４】
【表７４】
0005491330.tif 000084
【０１２５】
【表７５】
0005491330.tif 000085
【０１２６】
【表７６】
0005491330.tif 000086
【０１２７】
【表７７】
0005491330.tif 000087
【０１２８】
【表７８】
0005491330.tif 000088
【０１２９】
【表７９】
0005491330.tif 000089
【０１３０】
【表８０】
0005491330.tif 000090
【０１３１】
【表８１】
0005491330.tif 000091
【０１３２】
【表８２】
0005491330.tif 000092
【０１３３】
【表８３】
0005491330.tif 000093
【０１３４】
【表８４】
0005491330.tif 000094
【０１３５】
【表８５】
0005491330.tif 000095
【０１３６】
【表８６】
0005491330.tif 000096
【０１３７】
【表８７】
0005491330.tif 000097
【０１３８】
【表８８】
0005491330.tif 000098
【０１３９】
【表８９】
0005491330.tif 000099
【０１４０】
【表９０】
0005491330.tif 000100
【０１４１】
【表９１】
0005491330.tif 000101
【０１４２】
【表９２】
0005491330.tif 000102
【０１４３】
【表９３】
0005491330.tif 000103
【０１４４】
【表９４】
0005491330.tif 000104
【０１４５】
【表９５】
0005491330.tif 000105
【０１４６】
【表９６】
0005491330.tif 000106
【０１４７】
【表９７】
0005491330.tif 000107
【０１４８】
【表９８】
0005491330.tif 000108
【０１４９】
【化１０】
0005491330.tif 000109
【０１５０】
【化１１】
0005491330.tif 000110
【０１５１】
【表９９】
0005491330.tif 000111
【０１５２】
【表１００】
0005491330.tif 000112
【０１５３】
【表１０１】
0005491330.tif 000113
【０１５４】
【表１０２】
0005491330.tif 000114
【０１５５】
【表１０３】
0005491330.tif 000115
【０１５６】
【表１０４】
0005491330.tif 000116
【０１５７】
【表１０５】
0005491330.tif 000117
【０１５８】
【表１０６】
0005491330.tif 000118
【０１５９】
【表１０７】
0005491330.tif 000119
【０１６０】
【化１２】
0005491330.tif 000120
【０１６１】
【化１３】
0005491330.tif 000121
【０１６２】
【表１０８】
0005491330.tif 000122
【０１６３】
【表１０９】
0005491330.tif 000123
【０１６４】
【表１１０】
0005491330.tif 000124
【０１６５】
【表１１１】
0005491330.tif 000125
【０１６６】
【表１１２】
0005491330.tif 000126
【０１６７】
【表１１３】
0005491330.tif 000127
【０１６８】
【表１１４】
0005491330.tif 000128
【０１６９】
【表１１５】
0005491330.tif 000129
【０１７０】
【表１１６】
0005491330.tif 000130
【０１７１】
【化１４】
0005491330.tif 000131
【０１７２】
【化１５】
0005491330.tif 000132
【０１７３】
【表１１７】
0005491330.tif 000133
【０１７４】
【表１１８】
0005491330.tif 000134
【０１７５】
【表１１９】
0005491330.tif 000135
【０１７６】
【表１２０】
0005491330.tif 000136
【０１７７】
【表１２１】
0005491330.tif 000137
【０１７８】
【化１６】
0005491330.tif 000138
【０１７９】
【化１７】
0005491330.tif 000139
【０１８０】
【表１２２】
0005491330.tif 000140
【０１８１】
【表１２３】
0005491330.tif 000141
【０１８２】
【表１２４】
0005491330.tif 000142
【０１８３】
【表１２５】
0005491330.tif 000143
【０１８４】
【化１８】
0005491330.tif 000144
【０１８５】
【化１９】
0005491330.tif 000145
【０１８６】
【表１２６】
0005491330.tif 000146
【０１８７】
【表１２７】
0005491330.tif 000147
【０１８８】
【表１２８】
0005491330.tif 000148
【０１８９】
【表１２９】
0005491330.tif 000149
【０１９０】
【表１３０】
0005491330.tif 000150
【０１９１】
【表１３１】
0005491330.tif 000151
【０１９２】
【表１３２】
0005491330.tif 000152
【０１９３】
【表１３３】
0005491330.tif 000153
【０１９４】
【表１３４】
0005491330.tif 000154
【０１９５】
【化２０】
0005491330.tif 000155
【０１９６】
【化２１】
0005491330.tif 000156
【０１９７】
【表１３６】
0005491330.tif 000157
【０１９８】
【表１３７】
0005491330.tif 000158
【０１９９】
【表１３８】
0005491330.tif 000159
【０２００】
【表１３９】
0005491330.tif 000160
【０２０１】
【化２２】
0005491330.tif 000161
【０２０２】
【化２３】
0005491330.tif 000162
【０２０３】
【表１４０】
0005491330.tif 000163
【０２０４】
【表１４１】
0005491330.tif 000164
【０２０５】
【表１４２】
0005491330.tif 000165
【０２０６】
【表１４３】
0005491330.tif 000166
【０２０７】
【化２４】
0005491330.tif 000167
【０２０８】
【表１４４】
0005491330.tif 000168
【０２０９】
【表１４５】
0005491330.tif 000169
【０２１０】
【表１４６】
0005491330.tif 000170
【０２１１】
【表１４７】
0005491330.tif 000171
【０２１２】
【表１４８】
0005491330.tif 000172
【０２１３】
【表１４９】
0005491330.tif 000173
【０２１４】
【表１５０】
0005491330.tif 000174
【０２１５】
【表１５１】
0005491330.tif 000175
【０２１６】
【表１５２】
0005491330.tif 000176
【０２１７】
【表１５３】
0005491330.tif 000177
【０２１８】
【表１５４】
0005491330.tif 000178
【０２１９】
【表１５５】
0005491330.tif 000179
【０２２０】
【表１５６】
0005491330.tif 000180
【０２２１】
【表１５７】
0005491330.tif 000181
【０２２２】
【表１５８】
0005491330.tif 000182
【０２２３】
【表１５９】
0005491330.tif 000183
【０２２４】
【表１６０】
0005491330.tif 000184
【０２２５】
【表１６１】
0005491330.tif 000185
【０２２６】
【表１６２】
0005491330.tif 000186
【０２２７】
【表１６３】
0005491330.tif 000187
【０２２８】
【表１６４】
0005491330.tif 000188
【０２２９】
【表１６５】
0005491330.tif 000189
【０２３０】
【表１６６】
0005491330.tif 000190
【０２３１】
【表１６７】
0005491330.tif 000191
【０２３２】
【表１６８】
0005491330.tif 000192
【０２３３】
【表１６９】
0005491330.tif 000193
【０２３４】
【表１７０】
0005491330.tif 000194
【０２３５】
【表１７１】
0005491330.tif 000195
【０２３６】
【表１７２】
0005491330.tif 000196
【０２３７】
【表１７３】
0005491330.tif 000197
【０２３８】
【表１７４】
0005491330.tif 000198
【０２３９】
【表１７５】
0005491330.tif 000199
【０２４０】
【表１７６】
0005491330.tif 000200
【０２４１】
【表１７７】
0005491330.tif 000201
【０２４２】
【表１７８】
0005491330.tif 000202
【０２４３】
【表１７９】
0005491330.tif 000203
【０２４４】
【表１８０】
0005491330.tif 000204
【０２４５】
【表１８１】
0005491330.tif 000205
【０２４６】
【表１８２】
0005491330.tif 000206
【０２４７】
【表１８３】
0005491330.tif 000207
【０２４８】
【表１８４】
0005491330.tif 000208
【０２４９】
【表１８５】
0005491330.tif 000209
【０２５０】
【表１８６】
0005491330.tif 000210
【０２５１】
【表１８７】
0005491330.tif 000211
【０２５２】
【表１８８】
0005491330.tif 000212
【０２５３】
【表１８９】
0005491330.tif 000213
【０２５４】
【表１９０】
0005491330.tif 000214
【０２５５】
【表１９１】
0005491330.tif 000215
【０２５６】
【表１９２】
0005491330.tif 000216
【０２５７】
【表１９３】
0005491330.tif 000217
【０２５８】
【表１９４】
0005491330.tif 000218
【０２５９】
【表１９５】
0005491330.tif 000219
【０２６０】
【表１９６】
0005491330.tif 000220
【０２６１】
【表１９７】
0005491330.tif 000221
【０２６２】
【表１９８】
0005491330.tif 000222
【０２６３】
【表１９９】
0005491330.tif 000223
【０２６４】
【表２００】
0005491330.tif 000224
【０２６５】
【表２０１】
0005491330.tif 000225
【０２６６】
【表２０２】
0005491330.tif 000226
【０２６７】
【表２０３】
0005491330.tif 000227
【０２６８】
【表２０４】
0005491330.tif 000228
【０２６９】
【表２０５】
0005491330.tif 000229
【０２７０】
【表２０６】
0005491330.tif 000230
【０２７１】
【表２０７】
0005491330.tif 000231
【０２７２】
【表２０８】
0005491330.tif 000232
【０２７３】
【表２０９】
0005491330.tif 000233
【０２７４】
【表２１０】
0005491330.tif 000234
【０２７５】
【表２１１】
0005491330.tif 000235
【０２７６】
【表２１２】
0005491330.tif 000236
【０２７７】
【表２１３】
0005491330.tif 000237
【０２７８】
【表２１４】
0005491330.tif 000238
【０２７９】
【表２１５】
0005491330.tif 000239
【０２８０】
【表２１６】
0005491330.tif 000240
【０２８１】
【表２１７】
0005491330.tif 000241
【０２８２】
【表２１８】
0005491330.tif 000242
【０２８３】
【表２１９】
0005491330.tif 000243
【０２８４】
【表２２０】
0005491330.tif 000244
【０２８５】
【表２２１】
0005491330.tif 000245
【０２８６】
【表２２２】
0005491330.tif 000246
【０２８７】
【表２２３】
0005491330.tif 000247
【０２８８】
【表２２４】
0005491330.tif 000248
【０２８９】
【表２２５】
0005491330.tif 000249
【０２９０】
【表２２６】
0005491330.tif 000250
【０２９１】
【表２２７】
0005491330.tif 000251
【０２９２】
【表２２８】
0005491330.tif 000252
【０２９３】
【表２２９】
0005491330.tif 000253
【０２９４】
【表２３０】
0005491330.tif 000254
【０２９５】
【表２３１】
0005491330.tif 000255
【０２９６】
【表２３２】
0005491330.tif 000256
【０２９７】
【表２３３】
0005491330.tif 000257
【０２９８】
【表２３４】
0005491330.tif 000258
【０２９９】
【表２３５】
0005491330.tif 000259
【０３００】
【表２３６】
0005491330.tif 000260
【０３０１】
【表２３７】
0005491330.tif 000261
【０３０２】
【表２３８】
0005491330.tif 000262
【０３０３】
【表２３９】
0005491330.tif 000263
【０３０４】
【表２４０】
0005491330.tif 000264
【０３０５】
【表２４１】
0005491330.tif 000265
【０３０６】
【表２４２】
0005491330.tif 000266
【０３０７】
【表２４３】
0005491330.tif 000267
【０３０８】
【表２４４】
0005491330.tif 000268
【０３０９】
【表２４５】
0005491330.tif 000269
【０３１０】
【表２４６】
0005491330.tif 000270
【０３１１】
【表２４７】
0005491330.tif 000271
【０３１２】
【化２５】
0005491330.tif 000272
【０３１３】
【化２６】
0005491330.tif 000273
【０３１４】
【表２４８】
0005491330.tif 000274
【０３１５】
【表２４９】
0005491330.tif 000275
【０３１６】
【表２５０】
0005491330.tif 000276
【０３１７】
【表２５１】
0005491330.tif 000277
【０３１８】
【表２５２】
0005491330.tif 000278
【０３１９】
【表２５３】
0005491330.tif 000279
【０３２０】
【表２５４】
0005491330.tif 000280
【０３２１】
【表２５５】
0005491330.tif 000281
【０３２２】
【表２５６】
0005491330.tif 000282
【０３２３】
【化２７】
0005491330.tif 000283
【０３２４】
【化２８】
0005491330.tif 000284
【０３２５】
【表２５７】
0005491330.tif 000285
【０３２６】
【表２５８】
0005491330.tif 000286
【０３２７】
【表２５９】
0005491330.tif 000287
【０３２８】
【表２６０】
0005491330.tif 000288
【０３２９】
【表２６１】
0005491330.tif 000289
【０３３０】
【表２６２】
0005491330.tif 000290
【０３３１】
【表２６３】
0005491330.tif 000291
【０３３２】
【表２６４】
0005491330.tif 000292
【０３３３】
【表２６５】
0005491330.tif 000293
【０３３４】
【化２９】
0005491330.tif 000294
【０３３５】
【化３０】
0005491330.tif 000295
【０３３６】
【表２６６】
0005491330.tif 000296
【０３３７】
【表２６７】
0005491330.tif 000297
【０３３８】
【表２６８】
0005491330.tif 000298
【０３３９】
【表２６９】
0005491330.tif 000299
【０３４０】
【表２７０】
0005491330.tif 000300
【０３４１】
【化３１】
0005491330.tif 000301
【０３４２】
【化３２】
0005491330.tif 000302
【０３４３】
【表２７１】
0005491330.tif 000303
【０３４４】
【表２７２】
0005491330.tif 000304
【０３４５】
【表２７３】
0005491330.tif 000305
【０３４６】
【表２７４】
0005491330.tif 000306
【０３４７】
【化３３】
0005491330.tif 000307
【０３４８】
【化３４】
0005491330.tif 000308
【０３４９】
【表２７５】
0005491330.tif 000309
【０３５０】
【表２７６】
0005491330.tif 000310
【０３５１】
【表２７７】
0005491330.tif 000311
【０３５２】
【表２７８】
0005491330.tif 000312
【０３５３】
【表２７９】
0005491330.tif 000313
【０３５４】
【表２８０】
0005491330.tif 000314
【０３５５】
【表２８１】
0005491330.tif 000315
【０３５６】
【表２８２】
0005491330.tif 000316
【０３５７】
【表２８３】
0005491330.tif 000317
【０３５８】
【化３５】
0005491330.tif 000318
【０３５９】
【化３６】
0005491330.tif 000319
【０３６０】
【表２８４】
0005491330.tif 000320
【０３６１】
【表２８５】
0005491330.tif 000321
【０３６２】
【表２８６】
0005491330.tif 000322
【０３６３】
【表２８７】
0005491330.tif 000323
【０３６４】
【化３７】
0005491330.tif 000324
【０３６５】
【化３８】
0005491330.tif 000325
【０３６６】
【表２８８】
0005491330.tif 000326
【０３６７】
【表２８９】
0005491330.tif 000327
【０３６８】
【表２９０】
0005491330.tif 000328
【０３６９】
【表２９１】
0005491330.tif 000329
【０３７０】
【化３９】
0005491330.tif 000330
【０３７１】
【表２９２】
0005491330.tif 000331
【０３７２】
【表２９３】
0005491330.tif 000332
【０３７３】
【表２９４】
0005491330.tif 000333
【０３７４】
【表２９５】
0005491330.tif 000334
【０３７５】
【表２９６】
0005491330.tif 000335
【０３７６】
【表２９７】
0005491330.tif 000336
【０３７７】
【表２９８】
0005491330.tif 000337
【０３７８】
【表２９９】
0005491330.tif 000338
【０３７９】
【表３００】
0005491330.tif 000339
【０３８０】
【表３０１】
0005491330.tif 000340
【０３８１】
【表３０２】
0005491330.tif 000341
【０３８２】
【表３０３】
0005491330.tif 000342
【０３８３】
【表３０４】
0005491330.tif 000343
【０３８４】
【表３０５】
0005491330.tif 000344
【０３８５】
【表３０６】
0005491330.tif 000345
【０３８６】
【表３０７】
0005491330.tif 000346
【０３８７】
【表３０８】
0005491330.tif 000347
【０３８８】
【表３０９】
0005491330.tif 000348
【０３８９】
【表３１０】
0005491330.tif 000349
【０３９０】
【表３１１】
0005491330.tif 000350
【０３９１】
【表３１２】
0005491330.tif 000351
【０３９２】
【表３１３】
0005491330.tif 000352
【０３９３】
【表３１４】
0005491330.tif 000353
【０３９４】
【表３１５】
0005491330.tif 000354
【０３９５】
【表３１６】
0005491330.tif 000355
【０３９６】
【表３１７】
0005491330.tif 000356
【０３９７】
【表３１８】
0005491330.tif 000357
【０３９８】
【表３１９】
0005491330.tif 000358
【０３９９】
【表３２０】
0005491330.tif 000359
【０４００】
【表３２１】
0005491330.tif 000360
【０４０１】
【表３２２】
0005491330.tif 000361
【０４０２】
【表３２３】
0005491330.tif 000362
【０４０３】
【表３２４】
0005491330.tif 000363
【０４０４】
【表３２５】
0005491330.tif 000364
【０４０５】
【表３２６】
0005491330.tif 000365
【０４０６】
【表３２７】
0005491330.tif 000366
【０４０７】
【表３２８】
0005491330.tif 000367
【０４０８】
【表３２９】
0005491330.tif 000368
【０４０９】
【表３３０】
0005491330.tif 000369
【０４１０】
【表３３１】
0005491330.tif 000370
【０４１１】
【表３３２】
0005491330.tif 000371
【０４１２】
【表３３３】
0005491330.tif 000372
【０４１３】
【表３３４】
0005491330.tif 000373
【０４１４】
【表３３５】
0005491330.tif 000374
【０４１５】
【表３３６】
0005491330.tif 000375
【０４１６】
【表３３７】
0005491330.tif 000376
【０４１７】
【表３３８】
0005491330.tif 000377
【０４１８】
【表３３９】
0005491330.tif 000378
【０４１９】
【表３４０】
0005491330.tif 000379
【０４２０】
【表３４１】
0005491330.tif 000380
【０４２１】
【表３４２】
0005491330.tif 000381
【０４２２】
【表３４３】
0005491330.tif 000382
【０４２３】
【表３４４】
0005491330.tif 000383
【０４２４】
【表３４５】
0005491330.tif 000384
【０４２５】
【表３４６】
0005491330.tif 000385
【０４２６】
【表３４７】
0005491330.tif 000386
【０４２７】
【表３４８】
0005491330.tif 000387
【０４２８】
【表３４９】
0005491330.tif 000388
【０４２９】
【表３５０】
0005491330.tif 000389
【０４３０】
【表３５１】
0005491330.tif 000390
【０４３１】
【表３５２】
0005491330.tif 000391
【０４３２】
【表３５３】
0005491330.tif 000392
【０４３３】
【表３５４】
0005491330.tif 000393
【０４３４】
【表３５５】
0005491330.tif 000394
【０４３５】
【表３５６】
0005491330.tif 000395
【０４３６】
【表３５７】
0005491330.tif 000396
【０４３７】
【表３５８】
0005491330.tif 000397
【０４３８】
【表３５９】
0005491330.tif 000398
【０４３９】
【表３６０】
0005491330.tif 000399
【０４４０】
【表３６１】
0005491330.tif 000400
【０４４１】
【表３６２】
0005491330.tif 000401
【０４４２】
【表３６３】
0005491330.tif 000402
【０４４３】
【表３６４】
0005491330.tif 000403
【０４４４】
【表３６５】
0005491330.tif 000404
【０４４５】
【表３６６】
0005491330.tif 000405
【０４４６】
【表３６７】
0005491330.tif 000406
【０４４７】
【表３６８】
0005491330.tif 000407
【０４４８】
【表３６９】
0005491330.tif 000408
【０４４９】
【表３７０】
0005491330.tif 000409
【０４５０】
【表３７１】
0005491330.tif 000410
【０４５１】
【表３７２】
0005491330.tif 000411
【０４５２】
【表３７３】
0005491330.tif 000412
【０４５３】
【表３７４】
0005491330.tif 000413
【０４５４】
【表３７５】
0005491330.tif 000414
【０４５５】
【表３７６】
0005491330.tif 000415
【０４５６】
【表３７７】
0005491330.tif 000416
【０４５７】
【表３７８】
0005491330.tif 000417
【０４５８】
【表３７９】
0005491330.tif 000418
【０４５９】
【表３８０】
0005491330.tif 000419
【０４６０】
【表３８１】
0005491330.tif 000420
【０４６１】
【表３８２】
0005491330.tif 000421
【０４６２】
【表３８３】
0005491330.tif 000422
【０４６３】
【表３８４】
0005491330.tif 000423
【０４６４】
【表３８５】
0005491330.tif 000424
【０４６５】
【表３８６】
0005491330.tif 000425
【０４６６】
【表３８７】
0005491330.tif 000426
【０４６７】
【表３８８】
0005491330.tif 000427
【０４６８】
【表３８９】
0005491330.tif 000428
【０４６９】
【表３９０】
0005491330.tif 000429
【０４７０】
【表３９１】
0005491330.tif 000430
【０４７１】
【表３９２】
0005491330.tif 000431
【０４７２】
【表３９３】
0005491330.tif 000432
【０４７３】
【表３９４】
0005491330.tif 000433
【０４７４】
【表３９５】
0005491330.tif 000434
【０４７５】
【表３９６】
0005491330.tif 000435
【０４７６】
【表３９７】
0005491330.tif 000436
【０４７７】
【表３９８】
0005491330.tif 000437
【０４７８】
【化４０】
0005491330.tif 000438
【０４７９】
【化４１】
0005491330.tif 000439
【０４８０】
【表３９９】
0005491330.tif 000440
【０４８１】
【表４００】
0005491330.tif 000441
【０４８２】
【表４０１】
0005491330.tif 000442
【０４８３】
【表４０２】
0005491330.tif 000443
【０４８４】
【表４０３】
0005491330.tif 000444
【０４８５】
【表４０４】
0005491330.tif 000445
【０４８６】
【表４０５】
0005491330.tif 000446
【０４８７】
【表４０６】
0005491330.tif 000447
【０４８８】
【表４０７】
0005491330.tif 000448
【０４８９】
【化４２】
0005491330.tif 000449
【０４９０】
【化４３】
0005491330.tif 000450
【０４９１】
【表４０８】
0005491330.tif 000451
【０４９２】
【表４０９】
0005491330.tif 000452
【０４９３】
【表４１０】
0005491330.tif 000453
【０４９４】
【表４１１】
0005491330.tif 000454
【０４９５】
【表４１２】
0005491330.tif 000455
【０４９６】
【表４１３】
0005491330.tif 000456
【０４９７】
【表４１４】
0005491330.tif 000457
【０４９８】
【表４１５】
0005491330.tif 000458
【０４９９】
【表４１６】
0005491330.tif 000459
【０５００】
【化４４】
0005491330.tif 000460
【０５０１】
【化４５】
0005491330.tif 000461
【０５０２】
【表４１７】
0005491330.tif 000462
【０５０３】
【表４１８】
0005491330.tif 000463
【０５０４】
【表４１９】
0005491330.tif 000464
【０５０５】
【表４２０】
0005491330.tif 000465
【０５０６】
【表４２１】
0005491330.tif 000466
【０５０７】
【化４６】
0005491330.tif 000467
【０５０８】
【化４７】
0005491330.tif 000468
【０５０９】
【表４２２】
0005491330.tif 000469
【０５１０】
【表４２３】
0005491330.tif 000470
【０５１１】
【表４２４】
0005491330.tif 000471
【０５１２】
【表４２５】
0005491330.tif 000472
【０５１３】
【化４８】
0005491330.tif 000473
【０５１４】
【化４９】
0005491330.tif 000474
【０５１５】
【表４２６】
0005491330.tif 000475
【０５１６】
【表４２７】
0005491330.tif 000476
【０５１７】
【表４２８】
0005491330.tif 000477
【０５１８】
【表４２９】
0005491330.tif 000478
【０５１９】
【表４３０】
0005491330.tif 000479
【０５２０】
【表４３１】
0005491330.tif 000480
【０５２１】
【表４３２】
0005491330.tif 000481
【０５２２】
【表４３３】
0005491330.tif 000482
【０５２３】
【表４３４】
0005491330.tif 000483
【０５２４】
【化５０】
0005491330.tif 000484
【０５２５】
【化５１】
0005491330.tif 000485
【０５２６】
【表４３５】
0005491330.tif 000486
【０５２７】
【表４３６】
0005491330.tif 000487
【０５２８】
【表４３７】
0005491330.tif 000488
【０５２９】
【表４３８】
0005491330.tif 000489
【０５３０】
【化５２】
0005491330.tif 000490
【０５３１】
【化５３】
0005491330.tif 000491
【０５３２】
【表４３９】
0005491330.tif 000492
【０５３３】
【表４４０】
0005491330.tif 000493
【０５３４】
【表４４１】
0005491330.tif 000494
【０５３５】
【表４４２】
0005491330.tif 000495
【０５３６】
【化５４】
0005491330.tif 000496
【０５３７】
【表４４３】
0005491330.tif 000497
【０５３８】
【表４４４】
0005491330.tif 000498
【０５３９】
【表４４５】
0005491330.tif 000499
【０５４０】
【表４４６】
0005491330.tif 000500
【０５４１】
【表４４８】
0005491330.tif 000501
【０５４２】
【表４４９】
0005491330.tif 000502
【０５４３】
【表４５０】
0005491330.tif 000503
【０５４４】
【表４５１】
0005491330.tif 000504
【０５４５】
【表４５２】
0005491330.tif 000505
【０５４６】
【表４５３】
0005491330.tif 000506
【０５４７】
【表４５４】
0005491330.tif 000507
【０５４８】
【表４５５】
0005491330.tif 000508
【０５４９】
【表４５６】
0005491330.tif 000509
【０５５０】
【表４５７】
0005491330.tif 000510
【０５５１】
【表４５８】
0005491330.tif 000511
【０５５２】
【表４５９】
0005491330.tif 000512
【０５５３】
【表４６０】
0005491330.tif 000513
【０５５４】
【表４６１】
0005491330.tif 000514
【０５５５】
【表４６２】
0005491330.tif 000515
【０５５６】
【表４６３】
0005491330.tif 000516
【０５５７】
【表４６４】
0005491330.tif 000517
【０５５８】
【表４６５】
0005491330.tif 000518
【０５５９】
【表４６６】
0005491330.tif 000519
【０５６０】
【表４６７】
0005491330.tif 000520
【０５６１】
【表４６８】
0005491330.tif 000521
【０５６２】
【表４６９】
0005491330.tif 000522
【０５６３】
【表４７０】
0005491330.tif 000523
【０５６４】
【表４７１】
0005491330.tif 000524
【０５６５】
【表４７２】
0005491330.tif 000525
【０５６６】
【表４７３】
0005491330.tif 000526
【０５６７】
【表４７４】
0005491330.tif 000527
【０５６８】
【表４７５】
0005491330.tif 000528
【０５６９】
【表４７６】
0005491330.tif 000529
【０５７０】
【表４７７】
0005491330.tif 000530
【０５７１】
【表４７８】
0005491330.tif 000531
【０５７２】
【表４７９】
0005491330.tif 000532
【０５７３】
【表４８０】
0005491330.tif 000533
【０５７４】
【表４８１】
0005491330.tif 000534
【０５７５】
【表４８２】
0005491330.tif 000535
【０５７６】
【表４８３】
0005491330.tif 000536
【０５７７】
【表４８４】
0005491330.tif 000537
【０５７８】
【表４８５】
0005491330.tif 000538
【０５７９】
【表４８６】
0005491330.tif 000539
【０５８０】
【表４８７】
0005491330.tif 000540
【０５８１】
【表４８８】
0005491330.tif 000541
【０５８２】
【表４８９】
0005491330.tif 000542
【０５８３】
【表４９０】
0005491330.tif 000543
【０５８４】
【表４９１】
0005491330.tif 000544
【０５８５】
【表４９２】
0005491330.tif 000545
【０５８６】
【表４９３】
0005491330.tif 000546
【０５８７】
【表４９４】
0005491330.tif 000547
【０５８８】
【表４９５】
0005491330.tif 000548
【０５８９】
【表４９６】
0005491330.tif 000549
【０５９０】
【表４９７】
0005491330.tif 000550
【０５９１】
【表４９８】
0005491330.tif 000551
【０５９２】
【表４９９】
0005491330.tif 000552
【０５９３】
【表５００】
0005491330.tif 000553
【０５９４】
【表５０１】
0005491330.tif 000554
【０５９５】
【表５０２】
0005491330.tif 000555
【０５９６】
【表５０３】
0005491330.tif 000556
【０５９７】
【表５０４】
0005491330.tif 000557
【０５９８】
【表５０５】
0005491330.tif 000558
【０５９９】
【表５０６】
0005491330.tif 000559
【０６００】
【表５０７】
0005491330.tif 000560
【０６０１】
【表５０８】
0005491330.tif 000561
【０６０２】
【表５０９】
0005491330.tif 000562
【０６０３】
【表５１０】
0005491330.tif 000563
【０６０４】
【表５１１】
0005491330.tif 000564
【０６０５】
【表５１２】
0005491330.tif 000565
【０６０６】
【表５１３】
0005491330.tif 000566
【０６０７】
【表５１４】
0005491330.tif 000567
【０６０８】
【表５１５】
0005491330.tif 000568
【０６０９】
【表５１６】
0005491330.tif 000569
【０６１０】
【表５１７】
0005491330.tif 000570
【０６１１】
【表５１８】
0005491330.tif 000571
【０６１２】
【表５１９】
0005491330.tif 000572
【０６１３】
【表５２０】
0005491330.tif 000573
【０６１４】
【表５２１】
0005491330.tif 000574
【０６１５】
【表５２２】
0005491330.tif 000575
【０６１６】
【表５２３】
0005491330.tif 000576
【０６１７】
【表５２４】
0005491330.tif 000577
【０６１８】
【表５２５】
0005491330.tif 000578
【０６１９】
【表５２６】
0005491330.tif 000579
【０６２０】
【表５２７】
0005491330.tif 000580
【０６２１】
【表５２８】
0005491330.tif 000581
【０６２２】
【表５２９】
0005491330.tif 000582
【０６２３】
【表５３０】
0005491330.tif 000583
【０６２４】
【表５３１】
0005491330.tif 000584
【０６２５】
【表５３２】
0005491330.tif 000585
【０６２６】
【表５３３】
0005491330.tif 000586
【０６２７】
【表５３４】
0005491330.tif 000587
【０６２８】
【表５３５】
0005491330.tif 000588
【０６２９】
【表５３６】
0005491330.tif 000589
【０６３０】
【表５３７】
0005491330.tif 000590
【０６３１】
【表５３８】
0005491330.tif 000591
【０６３２】
【表５３９】
0005491330.tif 000592
【０６３３】
【表５４０】
0005491330.tif 000593
【０６３４】
【表５４１】
0005491330.tif 000594
【０６３５】
【表５４２】
0005491330.tif 000595
【０６３６】
【表５４３】
0005491330.tif 000596
【０６３７】
【表５４４】
0005491330.tif 000597
【０６３８】
【表５４５】
0005491330.tif 000598
【０６３９】
【表５４６】
0005491330.tif 000599
【０６４０】
【表５４７】
0005491330.tif 000600
【０６４１】
【表５４８】
0005491330.tif 000601
【０６４２】
【表５４９】
0005491330.tif 000602
【０６４３】
【表５５０】
0005491330.tif 000603
【０６４４】
【化５５】
0005491330.tif 000604
【０６４５】
【化５６】
0005491330.tif 000605
【０６４６】
【表５５１】
0005491330.tif 000606
【０６４７】
【表５５２】
0005491330.tif 000607
【０６４８】
【表５５３】
0005491330.tif 000608
【０６４９】
【表５５４】
0005491330.tif 000609
【０６５０】
【表５５５】
0005491330.tif 000610
【０６５１】
【表５５６】
0005491330.tif 000611
【０６５２】
【表５５７】
0005491330.tif 000612
【０６５３】
【表５５８】
0005491330.tif 000613
【０６５４】
【表５５９】
0005491330.tif 000614
【０６５５】
【化５７】
0005491330.tif 000615
【０６５６】
【化５８】
0005491330.tif 000616
【０６５７】
【表５６０】
0005491330.tif 000617
【０６５８】
【表５６１】
0005491330.tif 000618
【０６５９】
【表５６２】
0005491330.tif 000619
【０６６０】
【表５６３】
0005491330.tif 000620
【０６６１】
【表５６４】
0005491330.tif 000621
【０６６２】
【表５６５】
0005491330.tif 000622
【０６６３】
【表５６６】
0005491330.tif 000623
【０６６４】
【表５６７】
0005491330.tif 000624
【０６６５】
【表５６８】
0005491330.tif 000625
【０６６６】
【化５９】
0005491330.tif 000626
【０６６７】
【化６０】
0005491330.tif 000627
【０６６８】
【表５６９】
0005491330.tif 000628
【０６６９】
【表５７０】
0005491330.tif 000629
【０６７０】
【表５７１】
0005491330.tif 000630
【０６７１】
【表５７２】
0005491330.tif 000631
【０６７２】
【表５７３】
0005491330.tif 000632
【０６７３】
【化６１】
0005491330.tif 000633
【０６７４】
【化６２】
0005491330.tif 000634
【０６７５】
【表５７４】
0005491330.tif 000635
【０６７６】
【表５７５】
0005491330.tif 000636
【０６７７】
【表５７６】
0005491330.tif 000637
【０６７８】
【表５７７】
0005491330.tif 000638
【０６７９】
【化６３】
0005491330.tif 000639
【０６８０】
【化６４】
0005491330.tif 000640
【０６８１】
【表５７８】
0005491330.tif 000641
【０６８２】
【表５７９】
0005491330.tif 000642
【０６８３】
【表５８０】
0005491330.tif 000643
【０６８４】
【表５８１】
0005491330.tif 000644
【０６８５】
【表５８２】
0005491330.tif 000645
【０６８６】
【表５８３】
0005491330.tif 000646
【０６８７】
【表５８４】
0005491330.tif 000647
【０６８８】
【表５８５】
0005491330.tif 000648
【０６８９】
【表５８６】
0005491330.tif 000649
【０６９０】
【化６５】
0005491330.tif 000650
【０６９１】
【化６６】
0005491330.tif 000651
【０６９２】
【表５８７】
0005491330.tif 000652
【０６９３】
【表５８８】
0005491330.tif 000653
【０６９４】
【表５８９】
0005491330.tif 000654
【０６９５】
【表５９０】
0005491330.tif 000655
【０６９６】
【化６７】
0005491330.tif 000656
【０６９７】
【化６８】
0005491330.tif 000657
【０６９８】
【表５９１】
0005491330.tif 000658
【０６９９】
【表５９２】
0005491330.tif 000659
【０７００】
【表５９３】
0005491330.tif 000660
【０７０１】
【表５９４】
0005491330.tif 000661
【０７０２】
本発明の前記金属錯体化合物は、発光素子用材料であると好ましく、有機ＥＬ素子用材料であると特に好ましい。
【０７０３】
本発明の有機ＥＬ素子は、陽極と陰極からなる一対の電極間に少なくとも発光層を有する一層又は複数層からなる有機薄膜層が挟持されている有機ＥＬ素子において、該有機薄膜層の少なくとも１層が、本発明の金属錯体化合物を含有し、両極間に電圧を印加することにより発光するものである。
【０７０４】
前記有機薄膜層中の本発明の金属錯体化合物の含有量としては、発光層全体の質量に対し、通常０．１〜１００重量％であり、１〜３０重量％であると好ましい。
【０７０５】
本発明の有機ＥＬ素子は、前記発光層が、本発明の金属錯体化合物を含有すると好まし
い。また、通常、前記発光層は真空蒸着又は塗布により薄膜化するが、塗布の方が製造プロセスが簡略化できることから、本発明の金属錯体化合物を含有する層が、塗布により成膜されてなると好ましい。
【０７０６】
本発明の有機ＥＬ素子において、有機薄膜層が単層型のものとしては有機薄膜層が発光層であり、この発光層が本発明の金属錯体化合物を含有する。また、多層型の有機ＥＬ素子としては、（陽極／正孔注入層（正孔輸送層）／発光層／陰極）、（陽極／発光層／電子注入層（電子輸送層）／陰極）、（陽極／正孔注入層（正孔輸送層）／発光層／電子注入層（電子輸送層）／陰極）等が挙げられる。
【０７０７】
本発明の有機ＥＬ素子の陽極は、正孔注入層、正孔輸送層、発光層などに正孔を供給するものであり、陽極の材料としては、金属、合金、金属酸化物、電気伝導性化合物、又はこれらの混合物などを用いることができる。陽極の材料の具体例としては、酸化スズ、酸化亜鉛、酸化インジウム、酸化インジウムスズ（ＩＴＯ）等の導電性金属酸化物、又は金、銀、クロム、ニッケル等の金属、さらにこれらの導電性金属酸化物と金属との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられ、好ましくは、導電性金属酸化物であり、特に、生産性、高導電性、透明性等の点からＩＴＯを用いることが好ましい。陽極の膜厚は材料により適宜選択可能である。
【０７０８】
本発明の有機ＥＬ素子の陰極は、電子注入層、電子輸送層、発光層などに電子を供給するものであり、陰極の材料としては、金属、合金、金属ハロゲン化物、金属酸化物、電気伝導性化合物、又はこれらの混合物を用いることができる。陰極の材料の具体例としては、アルカリ金属（例えば、Ｌｉ、Ｎａ、Ｋ等）及びそのフッ化物もしくは酸化物、アルカリ土類金属（例えば、Ｍｇ、Ｃａ等）及びそのフッ化物もしくは酸化物、金、銀、鉛、アルミニウム、ナトリウム−カリウム合金もしくはナトリウム−カリウム混合金属、リチウム−アルミニウム合金もしくはリチウム−アルミニウム混合金属、マグネシウム−銀合金もしくはマグネシウム−銀混合金属、又はインジウム、イッテルビウム等の希土類金属等が挙げられる。これらの中でも好ましくは、アルミニウム、リチウム−アルミニウム合金もしくはリチウム−アルミニウム混合金属、マグネシウム−銀合金もしくはマグネシウム−銀混合金属等である。陰極は、前記材料の単層構造であってもよいし、前記材料を含む層の積層構造であってもよい。例えば、アルミニウム／フッ化リチウム、アルミニウム／酸化リチウムの積層構造が好ましい。陰極の膜厚は材料により適宜選択可能である。
【０７０９】
本発明の有機ＥＬ素子の正孔注入層及び正孔輸送層は、陽極から正孔を注入する機能、正孔を輸送する機能、陰極から注入された電子を障壁する機能のいずれかを有しているものであればよい。その具体例としては、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、ポリシラン系化合物、ポリ（Ｎ−ビニルカルバゾール）誘導体、アニリン系共重合体、チオフェンオリゴマー、ポリチオフェン等の導電性高分子オリゴマー、有機シラン誘導体、本発明の金属錯体化合物等が挙げられる。また、前記正孔注入層及び前記正孔輸送層は、前記材料の１種又は２種以上からなる単層構造であってもよいし、同一組成又は異種組成の複数層からなる多層構造であってもよい。
【０７１０】
本発明の有機ＥＬ素子の電子注入層及び電子輸送層は、陰極から電子を注入する機能、電子を輸送する機能、陽極から注入された正孔を障壁する機能のいずれかを有しているも
のであればよい。その具体例としては、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、有機シラン誘導体、本発明の金属錯体化合物等が挙げられる。また、前記電子注入層及び前記電子輸送層は、前記材料の１種又は２種以上からなる単層構造であってもよいし、同一組成又は異種組成の複数層からなる多層構造であってもよい。
【０７１１】
本発明の有機ＥＬ素子の発光層は、電界印加時に陽極又は正孔注入層より正孔を注入することができ、陰極又は電子注入層より電子を注入することができる機能、注入した電荷（電子と正孔）を電界の力で移動させる機能、電子と正孔の再結合の場を提供し、これを発光につなげる機能を有するものである。本発明の有機ＥＬ素子の発光層は、少なくとも本発明の金属錯体化合物を含有すると好ましく、この金属錯体化合物をゲスト材料とするホスト材料を含有させてもよい。前記ホスト材料としては、例えば、カルバゾール骨格を有するもの、ジアリールアミン骨格を有するもの、ピリジン骨格を有するもの、ピラジン骨格を有するもの、トリアジン骨格を有するもの及びアリールシラン骨格を有するもの等が挙げられる。前記ホスト材料のＴ1 （最低三重項励起状態のエネルギーレベル）は、ゲスト材料のＴ1 レベルより大きいことが好ましい。前記ホスト材料は低分子化合物であっても、高分子化合物であってもよい。また、前記ホスト材料と前記金属錯体化合物等の発光材料とを共蒸着等することによって、前記発光材料が前記ホスト材料にドープされた発光層を形成することができる。
【０７１２】
本発明の有機ＥＬ素子において、前記各層の形成方法としては、特に限定されるものではないが、真空蒸着法、ＬＢ法、抵抗加熱蒸着法、電子ビーム法、スパッタリング法、分子積層法、コーティング法（スピンコート法、キャスト法、ディップコート法など）、インクジェット法、印刷法などの種々の方法を利用することができ、本発明においては塗布法であるコーティング法が好ましい。
【０７１３】
前記コーティング法では、本発明の金属錯体化合物を溶媒に溶解して塗布液を調製し、該塗布液を所望の層（あるいは電極）上に、塗布・乾燥することによって形成することができる。塗布液中には樹脂を含有させてもよく、樹脂は溶媒に溶解状態とすることも、分散状態とすることもできる。前記樹脂としては、非共役系高分子（例えば、ポリビニルカルバゾール）、共役系高分子（例えば、ポリオレフィン系高分子）を使用することができる。より具体的には、例えば、ポリ塩化ビニル、ポリカーボネート、ポリスチレン、ポリメチルメタクリレート、ポリブチルメタクリレート、ポリエステル、ポリスルホン、ポリフェニレンオキシド、ポリブタジエン、ポリ（Ｎ−ビニルカルバゾール）、炭化水素樹脂、ケトン樹脂、フェノキシ樹脂、ポリアミド、エチルセルロース、酢酸ビニル、ＡＢＳ樹脂、ポリウレタン、メラミン樹脂、不飽和ポリエステル樹脂、アルキド樹脂、エポキシ樹脂、シリコン樹脂等が挙げられる。
【実施例】
【０７１４】
次に、本発明を実施例によりさらに詳細に説明するが、本発明は、これらの例によってなんら限定されるものではない。
実施例１（金属錯体化合物１−１の合成）
金属錯体化合物１−１の合成経路を以下に示す。
【０７１５】
【化６９】
0005491330.tif 000662
【０７１６】
※中間体１−１ａの化学構造式は、二量体構造を表す。
（１）中間体１−１ｂの合成
フラスコに2 −アミノピリジン 3.5g(36mmol) 、α−ブロモアセトフェノン 7.2g(36mmol) 及び炭酸水素ナトリウム 3.6g(43mmol) を入れ、エタノール120ml 中、室温にて４時間、次いで還流下で２時間反応させた。不溶物をろ別し、ろ液を濃縮した。塩化メチレン150ml にて抽出し、水 200mlにて３回洗浄した。有機層を硫酸マグネシウムで乾燥した後、溶媒を除き、茶色の結晶を得た。シリカゲルカラム（ヘキサン/ 塩化メチレン）で精製を行い、２−フェニルイミダゾ[1,2-a] ピリジン中間体１−１ｂを白色結晶として、6.3g得た（収率90%)。 1Ｈ−ＮＭＲにより目的物であることを確認した。その測定結果を以下に示す。
1H-NMR (CDCl３) :δ 7.8-8.3 (m,4H),δ7.0-8.3 (m,5H), δ  .6-6.9 (m,1H)
（２）中間体１−１ａの合成
フラスコに１−１ｂ 5.0g(25.7mmol) 、ＩｒＣｌ３  水和物(strem製)  1.9g(6.4mmol)を入れ、アルゴン置換し、2 −エトキシエタノール 40ml を入れ、還流下15時間反応させた。得られた黄色沈殿をろ別し、エタノール 5mlで２回洗浄した。さらに塩化メチレン 150mlに溶解させ、ＨＣｌ水溶液で３回、水で２回洗浄を行った。溶液を硫酸マグネシウムで乾燥させた後、溶媒を留去し、黄色結晶として、中間体１−１ａを1.39g 得た（収率35%)。
（３）金属錯体化合物１−１の合成
フラスコに中間体１−１ａ 1.39g(1.13mmol)、２−ピコリン酸 0.55g(4.52mmol)を入れ、アルゴン置換し、1 ，2 −ジクロロエタン20mlを入れて、還流下で１７時間反応させた。得られた黄色沈殿をろ別し、塩化メチレン 400mlに溶解させ、水150ml にて３回洗浄した。溶液を硫酸マグネシウムで乾燥させた後、溶媒を留去し、少量の塩化メチレンで洗って、黄色結晶として金属錯体化合物１−１を0.85g 得た（収率54%)。ＦＤ−ＭＳ（フィールドディソープションマス分析）により目的物であることを確認した。また、測定結果を以下に示す。
FD-MS : m/z=701
また、得られた金属錯体化合物１−１のりん光を測定（塩化メチレン溶液）したところ、りん光のλmax（最大発光強度の波長）は580nm であった。
実施例２（金属錯体化合物１−２の合成）
金属錯体化合物１−２の合成経路を以下に示す。
【０７１７】
【化７０】
0005491330.tif 000663
【０７１８】
※中間体１−２ａの化学構造式は、二量体構造を表す。
（１）中間体１−２ｃの合成
2 ，4 −ジフルオロフェニルアセトフェノン 25g(160.1mmol) の酢酸 50ml 溶液を10℃以下に冷却しながら、臭素 25.5g(160.1mmol) を適下し、７時間反応を行った。生成溶液を水300ml に投入し、塩化メチレンで抽出した。有機層を塩化マグネシウムで乾燥した後、溶媒を除いた。得られた残渣をシリカカラム精製 (ヘキサン) し、褐色オイルとして、α−ブロモ−2 ，4 −ジフルオロフェニルアセトフェノン中間体１−２ｃを23.4g 得た（収率62%)。 1Ｈ−ＮＭＲにより目的物であることを確認した。その測定結果を以下に示す。
1H-NMR (CDCl３) :δ 7.87-8.14 (m,1H),δ 6.8-7.13 (m,2H), δ 4.49 (d,2H)
（２）中間体１−２ｂの合成
フラスコに２−アミノピリジン 3.3g(35.5mmol) 、中間体１−２ｃ 8.4g(35.5mmol) 及び炭酸水素ナトリウム 3.6g (43mmol)を入れ、エタノール120ml 中、室温にて４時間、次いで還流下で２時間反応させた。不溶物をろ別し、ろ液を濃縮した。塩化メチレン150ml にて抽出し、水 200mlにて３回洗浄した。有機層を硫酸マグネシウムで乾燥した後、溶媒を除き、茶色の結晶を得た。シリカゲルカラム（ヘキサン／塩化メチレン）で精製を行い、2 ‐(2’,4’‐ジフルオロフェニル) イミダゾ[1,2-a] ピリジン中間体１−２ｂを7.3g得た（収率89%)。 1Ｈ−ＮＭＲにより目的物であることを確認した。その測定結果を以下に示す。
1H-NMR (CDCl３) :δ 7.9-8.45 (m,3H), δ 7.5-7.7 (m,1H),  δ 6.7-7.28 (m, 4H)
（３）中間体１−２ａの合成
フラスコに中間体１−２ｂ 4.7g(20.6mmol) 、ＩｒＣｌ３  水和物(strem製) 1.53g(5.1mmol)を入れ、アルゴン置換し、２−エトキシエタノール 25ml を入れ、還流下15時間反応させた。得られた淡黄色沈殿をろ別し、エタノール 5mlで２回洗浄した。さらに塩化メチレン 150mlに溶解させ、ＨＣｌ水溶液で３回、水で２回洗浄を行った。溶液を硫酸マグネシウムで乾燥させた後、溶媒を留去し、黄色結晶として、中間体１−２ａを1.39g 得た（収率35%)。
（４）金属錯体化合物１−２の合成
フラスコに中間体１−２ａ 1.39g(1.13mmol)、2 −ピコリン酸 0.55g(4.52mmol)を入れ、アルゴン置換した。1 ，2 −ジクロロエタン20mlを入れて、還流下で17時間反応させた。得られた黄色沈殿をろ別し、塩化メチレン 400mlに溶解させ、水150ml にて３回洗浄した。溶液を硫酸マグネシウムで乾燥させた後、溶媒を留去し、少量の塩化メチレンで洗って、黄色結晶として金属錯体化合物１−２を0.85g 得た（収率54%)。 1Ｈ−ＮＭＲ及びＦＤ−ＭＳにより目的物であることを確認した。その測定結果を以下に示す。
1H-NMR (CDCl３) :δ 7.84-8.30 (m,7H),δ 7.2-7.47 (m,2H), δ 6.7-7.0 (m, 3H), δ 6.2-6.6 (m,2H),δ 5.44-5.88 (m,4H)
FD-MS : m/z=773
また、得られた金属錯体化合物１−２のりん光を測定（塩化メチレン溶液）したところ、りん光のλmaxは529nm であった。
実施例３（金属錯体化合物６−１の合成）
金属錯体化合物６−１の合成経路を以下に示す。
【０７１９】
【化７１】
0005491330.tif 000664
【０７２０】
※中間体６−１ａの化学構造式は、二量体構造を表す。
（１）中間体６−１ｂの合成
滴下漏斗を備えたフラスコに２−フェニルイミダゾール 8.6g(60mmol) を入れ、アルゴン置換した後にテトラヒドロフラン 180mlを入れた。氷冷下で1.56mol/l のｎ−ブチルリチウム 39.1ml(61mmol) を約30分かけて滴下し、ついでテトラヒドロフラン 10ml に溶解したヨウ化メチル 8.6g(61mmol) を滴下した。滴下終了後、室温にて３時間反応させた。反応溶液を濃縮した後、得られた固体を塩化メチレン150ml にて抽出し、水 150mlにて３回洗浄した。有機層を硫酸マグネシウムで乾燥した後、溶媒を除いた。シリカゲルカラム（ヘキサン／塩化メチレン）で精製を行い、１−メチル−２−フェニルイミダゾール中間体６−１ｂを白色結晶として、6.1g得た（収率69%)。 1Ｈ−ＮＭＲにより目的物であることを確認した。その測定結果を以下に示す。
1H-NMR (CDCl３) :δ 7.29-7.67 (m,5H),δ 6.93-7.10 (m,2H),δ 3.69 (s,3H)
（２）中間体６−１ａの合成
フラスコに中間体６−１ｂ 4.1g(26.2mmol) 、ＩｒＣｌ３  水和物(strem製) 1.95g(6.5mmol)を入れ、アルゴン置換し、2 −エトキシエタノール 30ml を入れ、還流下11時間反応させた。得られた黄色沈殿をろ別し、エタノール 5mlで２回洗浄した。さらに塩化メチレン600ml に溶解させ、水200ml で３回洗浄を行った。溶液を硫酸マグネシウムで乾燥させた後、溶媒を留去し、淡黄色結晶として、中間体６−１ａを1.35g 得た（収率38%)。 1Ｈ−ＮＭＲにより目的物であることを確認した。その測定結果を以下に示す。
1H-NMR (CD２Cl２)  :δ  7.26-7.42(m,2H),δ  6.47-6.94 (m,3H), δ  6.0-6.09 (m,1H),δ  4.13 (s,3H)
（３）金属錯体化合物６−１の合成
フラスコに中間体６−１ａ 1.32g(1.21mmol)、2 −ピコリン酸 0.59g(4.87mmol)を入れ、アルゴン置換した。1 ，2 ‐ジクロロエタン15mlを入れて、還流下で８時間反応させた。得られた黄色沈殿をろ別し、塩化メチレン 200mlに溶解させ、水150ml にて４回洗浄した。溶液を硫酸マグネシウムで乾燥させた後、溶媒を留去し、塩化メチレン／ヘキサンから再結晶した。黄色結晶として金属錯体化合物６−１を1.17g 得た（収率78%)。 1Ｈ−ＮＭＲにより目的物であることを確認した。その測定結果を以下に示す。
1H-NMR (CDCl３) :δ  8.1-8.2(m,1H),δ  7.75-7.90 (m,2H), δ  7.2-7.51 (m,3H) , δ  6.3-7.0 (m,9H), δ  6.13 (d,1H),δ  4.06 (s,3H)
また、得られた金属錯体化合物６−１のりん光を測定（塩化メチレン溶液）したところ、りん光のλmaxは562nm であった。
比較例１
フラスコに４−フェニルイミダゾール3.8g(26.3mmol)、ＩｒＣｌ３  水和物(strem製) 1.96g(6.6mmol)を入れ、アルゴン置換した。２−エトキシエタノール 30ml を入れ、還流下18時間反応させたところ、沈殿物はなく、均一の黒褐色の溶液となった。溶媒を留去さ
せ、溶液を処理したところ、黒色固形物が得られたが、目的のＩｒ金属錯体化合物（下記Ｑ）とは確認できなかった。実施例３と比較すると、以下に示すように、イミダゾールのＮ位にＨが存在すると、Ｉｒ錯体の合成が困難であり、メチル基等の何らかの置換基が必要である。
【０７２１】
【化７２】
0005491330.tif 000665
【０７２２】
実施例４（金属錯体化合物７−１の合成）
金属錯体化合物７−１の合成経路を以下に示す。
【０７２３】
【化７３】
0005491330.tif 000666
【０７２４】
※中間体７−１ａの化学構造式は、二量体構造を表す。
（１）中間体７−１ｂの合成
滴下漏斗を備えたフラスコに２−フェニルイミダゾリン 8.9g(60.8mmol) を入れ、アルゴン置換した後にテトラヒドロフラン 210mlを入れた。氷冷下で1.56mol/l のｎ−ブチルリチウム 39.3ml(61.2mmol) を約30分かけて滴下し、ついでテトラヒドロフラン 10ml に溶解したヨウ化メチル 8.7g(61.3mmol) を滴下した。滴下終了後、室温にて３時間反応させた。反応溶液を濃縮した後、得られた固体を塩化メチレン150ml にて抽出し、水 150mlにて３回洗浄した。有機層を硫酸マグネシウムで乾燥した後、溶媒を除いた。シリカゲルカラム（ヘキサン／塩化メチレン）で精製を行い、１−メチル−２−フェニルイミダゾリン中間体７−１ｂを白色結晶として8.0g得た（収率83%)。 1Ｈ−ＮＭＲにより目的物であることを確認した。その測定結果を以下に示す。
1H-NMR (CDCl３) :δ 7.33-7.60 (m,5H),δ 3.27-3.98 (m,4H),δ 2.76 (s,3H)
（２）中間体７−１ａの合成
フラスコに中間体７−１ｂ 4.4g(27.5mmol) 、ＩｒＣｌ３  水和物(strem製) 2.1g(6.9mmol) を入れ、アルゴン置換した。２−エトキシエタノール 30ml を入れ、還流下16時間反応させた。得られた黄色沈殿をろ別し、エタノール 5mlで２回洗浄した。さらに塩化メチレン200ml に溶解させ、水200ml で４回洗浄を行った。溶液を硫酸マグネシウムで乾燥させた後、溶媒を留去し、オレンジ色結晶として、中間体７−１ａを2.1g得た (収率57%)。 1Ｈ−ＮＭＲにより目的物であることを確認した。その測定結果を以下に示す。
1H-NMR (DMSO-d６) :δ  7.51-7.61 (m,1H), δ  6.69-6.97 (m,3H), δ  3.60-4.1 (m,4H),δ  3.33 (s,3H)
（３）金属錯体化合物７−１の合成
フラスコに中間体７−１ａ 1.95g(1.78mmol)、2 −ピコリン酸 0.88g(7.14mmol)を入れ、アルゴン置換した。1 ，2 ‐ジクロロエタン20mlを入れて、還流下で17時間反応させた。反応溶液から溶媒を除き、得られた褐色固体を塩化メチレン 150mlに溶解させ、水200ml にて５回洗浄した。溶液を硫酸マグネシウムで乾燥させた後、溶媒を留去し、シリカカ
ラム（塩化メチレン／メタノール）により精製した。茶色結晶として７−１を1.2g得た (収率53%)。ＦＤ−ＭＳにより目的物であることを確認した。その測定結果を以下に示す。FD-MS : m/z=632
また、得られた金属錯体化合物７−１のりん光を測定（塩化メチレン溶液）したところ、りん光のλmaxは562nm であった。
実施例５（金属錯体化合物５−１の合成）
金属錯体化合物５−１の合成経路を以下に示す。
【０７２５】
【化７４】
0005491330.tif 000667
【０７２６】
（１）中間体５−１ｂの合成
滴下漏斗を備えたフラスコに４−フェニルイミダゾール9.6g(67mmo1)を入れ、アルゴン置換した後にジメチルスルホキシド50m1を入れた。この溶液にＮａＨ 2.8g(60% in oil,70mmo1 相当) を少しずつ入れ、すべて添加後に80℃で２時間加熱した。ついで、メチルスルホキシド15mlに溶解させたよう化メチル9.6g(68mmol ) を滴下し、80℃でさらに15時間加熱した。
【０７２７】
反応溶液を水200m1中に投入し、塩化エチレン200mlで抽出した。有機層を分離後、水200mlで５回洗浄し、硫酸マグネシウムで乾燥した。溶液を濃縮後得られた淡褐色固体をシリカゲルカラム（塩化メチレン) で精製を行い、１−メチル−４−フェニルイミダゾール中間体５−１ｂを白色結晶として、5.5g得た（収率52%)。
（２）中間体５−１ａの合成
フラスコに中間体５−１ｂ 3.Og(18.9mmo1) 、ＩｒＣｌ３  水和物(strem製) 1.41g(4.7mmol)を入れ、アルゴン置換した。２−エトキシエタノール15mlを入れ、還流下13時間反応させた。得られた白色沈殿をろ別し、エタノール5m1 で２回洗浄した。さらに塩化メチレン500ml に溶解させ、水150m1 で３回洗浄を行った。溶液を硫酸マグネシウムで乾燥させた後、溶媒を留去し、白色結晶として、中間体５−１ａを1.77g 得た（収率69%)。
（３）金属錯体化合物５−１の合成
フラスコに中間体５−１ａ 1.38g(1.27mmo1)、２−ピコリン酸0.62g(5.1mmol)を入れ、アルゴン置換した。１，２−ジクロロエタン20m1を入れて、還流下で12時間反応させた。得られた黄色沈殿をろ別し、塩化メチレン300ml に溶解させ、水200ml にて４回洗浄した。溶液を硫酸マグネシウムで乾燥させた後、溶媒を留去した。得られた黄色結晶をシリカゲルカラム（塩化メチレンノメタノール) で精製した。淡黄色結晶として５−１を0.4g得た(収率26%)。
【０７２８】
また、得られた金属錯体化合物５−１のりん光を測定（塩化メチレン溶液）したところ、りん光のλmaxは453nm であった。
実施例６（有機ＥＬ素子の作製）
２５ｍｍ×７５ｍｍ×０．７ｍｍ厚のＩＴＯ透明電極付きガラス基板をイソプロピルアルコール中で超音波洗浄を５分間行なった後、ＵＶオゾン洗浄を３０分間行なった。洗浄後の透明電極付きガラス基板を真空蒸着装置の基板ホルダーに装着し、まず透明電極が形成されている側の面上に前記透明電極を覆うようにして膜厚４０ｎｍの下記４，４’−ビス［Ｎ−（４−ビフェニル）−Ｎ−（４−ビフェニル）アミノ］ビフェニルを成膜した。
この膜は正孔輸送層として機能する。さらに、この膜上に膜厚３０ｎｍで下記ホスト材料（ＣＢＰ）と、同時にドーパントとしてりん光発光性のＩｒ金属錯体化合物１−２を添加して蒸着し成膜した。この膜は、発光層として機能する。発光層中における化合物１−１の濃度は５重量％とした。この膜上に膜厚１０ｎｍの（１，１’−ビスフェニル）−４−オラート）ビス（２−メチル−８−キノリノラート）アルミニウム（ＢＡｌｑ）を成膜した。このＢＡｌｑ膜は正孔障壁層として機能する。さらにこの膜上に膜厚３０ｎｍの８−ヒドロキシキノリンのアルミニウム錯体（Ａｌｑ）を成膜した。このＡｌｑ膜は電子注入層として機能する。この後、ハロゲン化アルカリ金属であるＬｉＦを０．１５ｎｍの厚さに蒸着し、次いでアルミニウムを１５０ｎｍの厚さに蒸着した。このＡｌ／ＬｉＦは陰極として機能する。このようにして有機ＥＬ素子を作製した。
【０７２９】
この素子について、通電試験を行なったところ、電圧６．７Ｖ、電流密度２．７９ｍＡ／ｃｍ2 にて１０３ｃｄ／ｍ2 の黄緑色発光が得られ、色度座標は（０．３４７，０．４９４）、発光効率は３．７ｃｄ／Ａであった。また、発光のλmax は５３３ｎｍであった。
【０７３０】
【化７５】
0005491330.tif 000668
【０７３１】
４，４’−ビス［Ｎ−（４−ビフェニル）−Ｎ−（４−ビフェニル）アミノ］ビフェニル
【０７３２】
【化７６】
0005491330.tif 000669
【産業上の利用可能性】
【０７３３】
以上、詳細に説明したように、本発明の新規金属錯体化合物を用いた有機ＥＬ素子は、発光効率が高く、長寿命であり、青色をはじめとした各色りん光有機ＥＬ用材料として使用可能であり、各種表示素子、ディスプレイ、バックライト、照明光源、標識、看板、インテリア等の分野に適用でき、特にカラーディスプレイの表示素子として適している。